(57)【要約】      （修正有）【課題】電子ペン用帳票への記入によって特定の処理を指定し、当該帳票に記入された情報に対応する電子データに対して指定した処理を行うことができる処理システムを提供する。【解決手段】サーバ５は、電子ペン１０から取得した記入情報に基づいて座標テーブル５０４を参照し、切取ボックスにストロークが記入されたか否かを判定し、ストロークが記入されたと判定した場合、当該ストロークの直前に記入されたストロークを切取ストロークとし、当該切取ストロークに基づいて切取エリアを特定する。また、サーバ５は貼付ボックスにストロークが記入されたか否かを判定し、記入されたと判定した場合、当該ストロークの直前に記入されたストロークの座標に基づいて始点を設定する。サーバ５は、切取エリアに対応する情報を抽出し、当該情報を始点の位置に貼り付けるような編集を行う。【選択図】    図９
2005293461.tif 000002
【特許請求の範囲】
【請求項１】
電子ペンにより認識可能なドットパターンが印刷された電子ペン用帳票を使用した処理システムにおいて、
前記電子ペン用帳票は、記入者が前記電子ペンにより記入を行うものであって、前記記入者が記入した記入情報の一部を切り取るための切取ボックスと、前記記入情報の一部を貼り付けるための貼付ボックスとが設定されており、
前記処理システムは、
前記切取ボックス及び前記貼付ボックスと、前記ドットパターン上のそれぞれの位置座標とが対応付けされた座標情報を取得する座標情報取得手段と、
前記記入情報を取得する記入情報取得手段と、
前記記入情報に基づいて前記座標情報を参照することにより、前記切取ボックスにストロークが記入されたか否かを判定する切取判定手段と、
前記切取判定手段が前記切取ボックスにストロークが記入されたと判定した場合に、当該ストロークの直前又は直後のうち予め決められたいずれか一方のタイミングで記入されたストロークを前記記入情報から切取ストロークとして抽出する切取ストローク抽出手段と、
前記切取ストロークに基づいて、前記記入情報の一部である切取エリアを特定する切取エリア特定手段と、
前記記入情報に基づいて前記座標情報を参照することにより、前記貼付ボックスにストロークが記入されたか否かを判定する貼付判定手段と、
前記貼付判定手段が前記貼付ボックスに前記ストロークが記入されたと判定した場合に、当該ストロークの直前又は直後のうち予め決められたいずれか一方のタイミングで記入されたストロークの位置座標を始点として特定する始点特定手段と、
前記切取エリアに対応する情報を削除し、当該情報を前記始点の位置に貼り付けるように前記記入情報を編集する編集手段と、
前記編集手段が編集した記入情報を記憶する記憶手段と、を備えることを特徴とする処理システム。
【請求項２】
電子ペンにより認識可能なドットパターンが印刷された電子ペン用帳票を使用した処理システムにおいて、
前記電子ペン用帳票は、記入者が前記電子ペンにより記入を行うものであって、前記記入者が記入した記入情報の一部をコピーするためのコピーボックスと、前記記入情報の一部を貼り付けるための貼付ボックスとが設定されており、
前記処理システムは、
前記コピーボックス及び前記貼付ボックスと、前記ドットパターン上のそれぞれの位置座標とが対応付けされた座標情報を取得する座標情報取得手段と、
前記記入情報を取得する記入情報取得手段と、
前記記入情報に基づいて前記座標情報を参照することにより、前記コピーボックスにストロークが記入されたか否かを判定するコピー判定手段と、
前記コピー判定手段が前記コピーボックスにストロークが記入されたと判定した場合に、当該ストロークの直前又は直後のうち予め決められたいずれか一方のタイミングで記入されたストロークを前記記入情報からコピーストロークとして抽出するコピーストローク抽出手段と、
前記コピーストロークに基づいて、前記記入情報の一部であるコピーエリアを特定するコピーエリア特定手段と、
前記記入情報に基づいて前記座標情報を参照することにより、前記貼付ボックスにストロークが記入されたか否かを判定する貼付判定手段と、
前記貼付判定手段が前記貼付ボックスに前記ストロークが記入されたと判定した場合に、当該ストロークの直前又は直後のうち予め決められたいずれか一方のタイミングで記入されたストロークの位置座標を始点として特定する始点特定手段と、
前記コピーエリアに対応する情報をコピーし、当該情報を前記始点の位置に貼り付けるように前記記入情報を編集する編集手段と、
前記編集手段が編集した記入情報を記憶する記憶手段と、を備えることを特徴とする処理システム。
【請求項３】
電子ペンにより認識可能なドットパターンが印刷された電子ペン用帳票を使用した処理システムにおいて、
前記電子ペン用帳票は、記入者が前記電子ペンにより記入を行うものであって、前記記入者が記入した記入情報の処理を起動するための起動ボックスと、記入者のＩＤを記入するためのＩＤ項目と、パスワードを記入するためのパスワード項目とが設定されており、
前記処理システムは、
前記ＩＤに対応付けて、起動するために必要なパスワードを記憶する記憶手段と、
前記起動ボックス、前記ＩＤ項目及び前記パスワード項目と、前記ドットパターン上のそれぞれの位置座標とが対応付けされた座標情報を取得する座標情報取得手段と、
前記記入情報を取得する記入情報取得手段と、
前記記入情報に基づいて前記座標情報を参照することにより、前記起動ボックスにストロークが記入されたか否かを判定する起動判定手段と、
前記起動判定手段が前記起動ボックスにストロークが記入されたと判定した場合に、前記座標情報に基づいて、前記記入情報から前記ＩＤ項目に記入されたストロークをＩＤストロークとして抽出するＩＤ抽出手段と、
前記ＩＤストロークを文字認識することにより、記入者が記入したＩＤを特定するＩＤ特定手段と、
特定した前記ＩＤに基づいて、前記記憶手段から対応するパスワードを取得するパスワード取得手段と、
前記座標情報に基づいて、前記記入情報から前記パスワード項目に記入されたストロークをパスワードストロークとして抽出するパスワード抽出手段と、
前記パスワードストロークを文字認識することにより、記入者が記入したパスワードを特定するパスワード特定手段と、
前記パスワード特定手段が特定したパスワードと、前記パスワード取得手段が取得したパスワードとが一致するか否かを判定するパスワード判定手段と、
前記パスワード判定手段が一致した場合にのみ、前記記入情報に対する処理を起動する起動手段と、を備えることを特徴とする処理システム。
【請求項４】
電子ペンにより認識可能なドットパターンが印刷された電子ペン用帳票を使用した処理システムにおいて、
前記電子ペン用帳票は、記入者が前記電子ペンにより記入を行うものであって、前記記入者が記入した記入情報を検索するための検索ボックスと、前記検索の条件となるキーワードを記入するためのキーワード項目とが設定されており、
前記処理システムは、
前記記入情報を取得する記入情報取得手段と、
前記記入情報を記憶する記憶手段と、
前記検索ボックス及び前記キーワード項目と、前記ドットパターン上のそれぞれの位置座標とが対応付けされた座標情報を取得する座標情報取得手段と、
前記記入情報に基づいて前記座標情報を参照することにより、前記検索ボックスにストロークが記入されたか否かを判定する検索判定手段と、
前記検索判定手段が前記検索ボックスにストロークが記入されたと判定した場合に、前記座標情報に基づいて、前記記入情報から前記キーワード項目に記入されたストロークをキーワードストロークとして抽出するキーワード抽出手段と、
前記キーワードストロークを文字認識することにより、記入者が記入したキーワードを特定するキーワード特定手段と、
特定した前記キーワードに基づいて前記記憶手段を検索し、当該キーワードを含む記入情報を抽出する記憶情報抽出手段と、を備えることを特徴とする処理システム。
【請求項５】
電子ペンにより認識可能なドットパターンが印刷された電子ペン用帳票を使用した処理システムにおいて、
前記電子ペン用帳票は、記入者が前記電子ペンにより記入を行うものであって、前記記入者が記入した記入情報を検索するための検索ボックスと、前記検索の条件となる記入日を記入するための記入日項目とが設定されており、
前記処理システムは、
前記記入情報を取得する記入情報取得手段と、
前記記入情報を記憶する記憶手段と、
前記検索ボックス及び前記記入日項目と、前記ドットパターン上のそれぞれの位置座標とが対応付けされた座標情報を取得する座標情報取得手段と、
前記記入情報に基づいて前記座標情報を参照することにより、前記検索ボックスにストロークが記入されたか否かを判定する検索判定手段と、
前記検索判定手段が前記検索ボックスにストロークが記入されたと判定した場合に、前記座標情報に基づいて、前記記入情報から前記記入日項目に記入されたストロークを記入日ストロークとして抽出する記入日抽出手段と、
前記記入日ストロークを文字認識することにより、前記記入者が前記記入日項目に記入した記入日を特定する記入日特定手段と、
特定した前記記入日に基づいて前記記憶手段を検索し、当該記入日に記入された記入情報を抽出する記入情報抽出手段と、を備えることを特徴とする処理システム。
【請求項６】
電子ペンにより認識可能なドットパターンが印刷された電子ペン用帳票を使用したコンピュータにより実行されるプログラムであって、
前記電子ペン用帳票は、記入者が前記電子ペンにより記入を行うものであって、前記記入者が記入した記入情報の一部を切り取るための切取ボックスと、前記記入情報の一部を貼り付けるための貼付ボックスとが設定されており、
前記プログラムは、
前記切取ボックス及び前記貼付ボックスと、前記ドットパターン上のそれぞれの位置座標とが対応付けされた座標情報を取得する座標情報取得手段、
前記記入情報を取得する記入情報取得手段、
前記記入情報に基づいて前記座標情報を参照することにより、前記切取ボックスにストロークが記入されたか否かを判定する切取判定手段、
前記切取判定手段が前記切取ボックスにストロークが記入されたと判定した場合に、当該ストロークの直前に記入されたストロークを前記記入情報から切取ストロークとして抽出する切取ストローク抽出手段、
前記切取ストロークに基づいて、前記記入情報の一部である切取エリアを特定する切取エリア特定手段、
前記記入情報に基づいて前記座標情報を参照することにより、前記貼付ボックスにストロークが記入されたか否かを判定する貼付判定手段、
前記貼付判定手段が前記貼付ボックスに前記ストロークが記入されたと判定した場合に、当該ストロークの直前に記入されたストロークの位置座標を始点として特定する始点特定手段、
前記切取エリアに対応する情報を削除し、当該情報を前記始点の位置に貼り付けるように前記記入情報を編集する編集手段、
前記編集手段が編集した記入情報を記憶する記憶手段、として前記コンピュータを機能させることを特徴とするプログラム。
【請求項７】
電子ペンにより認識可能なドットパターンが印刷された電子ペン用帳票を使用したコンピュータにより実行されるプログラムであって、
前記電子ペン用帳票は、記入者が前記電子ペンにより記入を行うものであって、前記記入者が記入した記入情報の一部をコピーするためのコピーボックスと、前記記入情報の一部を貼り付けるための貼付ボックスとが設定されており、
前記プログラムは、
前記コピーボックス及び前記貼付ボックスと、前記ドットパターン上のそれぞれの位置座標とが対応付けされた座標情報を取得する座標情報取得手段、
前記記入情報を取得する記入情報取得手段、
前記記入情報に基づいて前記座標情報を参照することにより、前記コピーボックスにストロークが記入されたか否かを判定するコピー判定手段、
前記コピー判定手段が前記コピーボックスにストロークが記入されたと判定した場合に、当該ストロークの直前に記入されたストロークを前記記入情報からコピーストロークとして抽出するコピーストローク抽出手段、
前記コピーストロークに基づいて、前記記入情報の一部であるコピーエリアを特定するコピーエリア特定手段、
前記記入情報に基づいて前記座標情報を参照することにより、前記貼付ボックスにストロークが記入されたか否かを判定する貼付判定手段、
前記貼付判定手段が前記貼付ボックスに前記ストロークが記入されたと判定した場合に、当該ストロークの直前に記入されたストロークの位置座標を始点として特定する始点特定手段、
前記コピーエリアに対応する情報をコピーし、当該情報を前記始点の位置に貼り付けるように前記記入情報を編集する編集手段、
前記編集手段が編集した記入情報を記憶する記憶手段、として前記コンピュータを機能させることを特徴とするプログラム。
【請求項８】
電子ペンにより認識可能なドットパターンが印刷された電子ペン用帳票を使用したコンピュータにより実行されるプログラムであって、
前記電子ペン用帳票は、記入者が前記電子ペンにより記入を行うものであって、前記記入者が記入した記入情報の処理を起動するための起動ボックスと、記入者のＩＤを記入するためのＩＤ項目と、パスワード項目とが設定されており、
前記プログラムは、
前記ＩＤに対応付けて、起動するために必要なパスワードを記憶する記憶手段、
前記起動ボックス、前記ＩＤ項目及び前記パスワード項目と、前記ドットパターン上のそれぞれの位置座標とが対応付けされた座標情報を取得する座標情報取得手段、
前記記入情報を取得する記入情報取得手段、
前記記入情報に基づいて前記座標情報を参照することにより、前記起動ボックスにストロークが記入されたか否かを判定する起動判定手段、
前記起動判定手段が前記起動ボックスにストロークが記入されたと判定した場合に、前記座標情報に基づいて、前記記入情報から前記ＩＤ項目に記入されたストロークをＩＤストロークとして抽出するＩＤ抽出手段、
前記ＩＤストロークを文字認識することにより、記入者が記入したＩＤを特定するＩＤ特定手段、
特定した前記ＩＤに基づいて、前記記憶手段から対応するパスワードを取得するパスワード取得手段、
前記座標情報に基づいて、前記記入情報から前記パスワード項目に記入されたストロークをパスワードストロークとして抽出するパスワード抽出手段、
前記パスワードストロークを文字認識することにより、記入者が記入したパスワードを特定するパスワード特定手段、
前記パスワード特定手段が特定したパスワードと、前記パスワード取得手段が取得したパスワードとが一致するか否かを判定するパスワード判定手段、
前記パスワード判定手段が一致した場合にのみ、前記記入情報の処理を起動する起動手段として前記コンピュータを実行させることを特徴とするプログラム。
【請求項９】
電子ペンにより認識可能なドットパターンが印刷された電子ペン用帳票を使用したコンピュータにより実行されるプログラムであって、
前記電子ペン用帳票は、記入者が前記電子ペンにより記入を行うものであって、前記記入者が記入した記入情報を検索するための検索ボックスと、前記検索の条件となるキーワードを記入するためのキーワード項目とが設定されており、
前記プログラムは、
前記記入情報を取得する記入情報取得手段、
前記記入情報を記憶する記憶手段、
前記検索ボックス及び前記キーワード項目と、前記ドットパターン上のそれぞれの位置座標とが対応付けされた座標情報を取得する座標情報取得手段、
前記記入情報に基づいて前記座標情報を参照することにより、前記検索ボックスにストロークが記入されたか否かを判定する検索判定手段、
前記検索判定手段が前記検索ボックスにストロークが記入されたと判定した場合に、前記座標情報に基づいて、前記記入情報から前記キーワード項目に記入されたストロークをキーワードストロークとして抽出するキーワード抽出手段、
前記キーワードストロークを文字認識することにより、記入者が記入したキーワードを特定するキーワード特定手段、
特定した前記キーワードに基づいて前記記憶手段を検索し、当該キーワードを含む記入情報を抽出する記憶情報抽出手段、として前記コンピュータを機能させることを特徴とするプログラム。
【請求項１０】
電子ペンにより認識可能なドットパターンが印刷された電子ペン用帳票を使用したコンピュータにより実行されるプログラムであって、
前記電子ペン用帳票は、記入者が前記電子ペンにより記入を行うものであって、前記記入者が記入した記入情報を検索するための検索ボックスと、前記検索の条件となる記入日を記入するための記入日項目とが設定されており、
前記プログラムは、
前記記入情報を取得する記入情報取得手段、
前記記入情報を記憶する記憶手段、
前記検索ボックス及び前記記入日項目と、前記ドットパターン上のそれぞれの位置座標とが対応付けされた座標情報を取得する座標情報取得手段、
前記記入情報に基づいて前記座標情報を参照することにより、前記検索ボックスにストロークが記入されたか否かを判定する検索判定手段、
前記検索判定手段が前記検索ボックスにストロークが記入されたと判定した場合に、前記座標情報に基づいて、前記記入情報から前記記入日項目に記入されたストロークを記入日ストロークとして抽出する記入日抽出手段、
前記記入日ストロークを文字認識することにより、前記記入者が前記記入日項目に記入した記入日を特定する記入日特定手段、
特定した前記記入日に基づいて前記記憶手段を検索し、当該記入日に記入された記入情報を抽出する記入情報抽出手段、として前記コンピュータを機能させることを特徴とするプログラム。
【請求項１１】
インクペンユニット及び光学的にドットパターンを読み取る読取ユニットを備える電子ペンにより記入情報が記入される電子ペン用帳票であって、
前記記入情報の一部を切り取るための切取ボックスと、前記記入情報の一部を貼り付けるための貼付ボックスとが設けられていることを特徴とする電子ペン用帳票。
【請求項１２】
インクペンユニット及び光学的にドットパターンを読み取る読取ユニットを備える電子ペンにより記入情報が記入される電子ペン用帳票であって、
前記記入情報の一部をコピーするためのコピーボックスと、前記記入情報の一部を貼り付けるための貼付ボックスとが設けられていることを特徴とする電子ペン用帳票。
【請求項１３】
インクペンユニット及び光学的にドットパターンを読み取る読取ユニットを備える電子ペンにより記入情報が記入される電子ペン用帳票であって、
前記記入者が記入した記入情報の処理を起動するための起動ボックスと、記入者のＩＤを記入するためのＩＤ項目と、パスワード項目とが設けられていることを特徴とする電子ペン用帳票。
【請求項１４】
インクペンユニット及び光学的にドットパターンを読み取る読取ユニットを備える電子ペンにより記入情報が記入される電子ペン用帳票であって、
前記記入者が記入した記入情報を検索するための検索ボックスと、前記検索の条件となるキーワードを記入するためのキーワード項目とが設けられていることを特徴とする電子ペン用帳票。
【請求項１５】
インクペンユニット及び光学的にドットパターンを読み取る読取ユニットを備える電子ペンにより記入情報が記入される電子ペン用帳票であって、
前記記入者が記入した記入情報を検索するための検索ボックスと、前記検索の条件となる記入日を記入するための記入日項目とが設けられていることを特徴とする電子ペン用帳票。
【発明の詳細な説明】
【技術分野】
【０００１】
本発明は、電子ペン用帳票への記入に基づいて、所定の処理を行う技術に関する。
【背景技術】
【０００２】
通常、講義を受講したり、会議に出席したりする場合、利用者は、複数の罫線から構成される大学ノートやルーズリーフに内容をメモすることが多い。このような紙媒体に記載された情報は、電子データと異なり、削除やソートを容易に行うことができない。そのため、当該紙媒体に記載された情報を電子データとしてサーバやパーソナルコンピュータ（以下、「ＰＣ」と呼ぶ。）上で管理することができれば、削除やソートを容易に行うことができるため便利である。このように紙媒体に記載した情報を電子データとしてサーバやＰＣ上で管理する場合、内容がメモされた大学ノートやルーズリーフを目視で認識した利用者がパンチ入力したり、スキャナで画像データとして取り込んだりする必要がある。
【０００３】
しかし、手書きの大学ノートやルーズリーフに基づいて電子データの入力を行うことは、時間と手間がかかり、利用者の負担が大きいという問題がある。さらに、目視に基づくパンチ入力は、手作業のため人為的ミスが発生する可能性も高い。
【０００４】
また、電子データのコピーや切り取りといった編集、所定の条件に基づく検索などを行うためには、利用者がサーバ等において複雑な操作を行い、当該電子データの編集や検索をする必要がある。即ち、サーバ等において複雑な操作を行うことなく、電子ペンを使用して大学ノート等へ記入を行うことにより、対応する電子データに対して特定の処理を行うことはできなかった。
【発明の開示】
【発明が解決しようとする課題】
【０００５】
本発明は、以上の点に鑑みてなされたものであり、電子ペン用帳票への記入によって特定の処理を指定し、当該帳票に記入された情報に対応する電子データに対して指定した処理を行うことができる処理システムを提供することを課題とする。
【課題を解決するための手段】
【０００６】
本発明の１つの観点では、電子ペンにより認識可能なドットパターンが印刷された電子ペン用帳票を使用した処理システムにおいて、前記電子ペン用帳票は、記入者が前記電子ペンにより記入を行うものであって、前記記入者が記入した記入情報の一部を切り取るための切取ボックスと、前記記入情報の一部を貼り付けるための貼付ボックスとが設定されており、前記処理システムは、前記切取ボックス及び前記貼付ボックスと、前記ドットパターン上のそれぞれの位置座標とが対応付けされた座標情報を取得する座標情報取得手段と、前記記入情報を取得する記入情報取得手段と、前記記入情報に基づいて前記座標情報を参照することにより、前記切取ボックスにストロークが記入されたか否かを判定する切取判定手段と、前記切取判定手段が前記切取ボックスにストロークが記入されたと判定した場合に、当該ストロークの直前又は直後のうち予め決められたいずれか一方のタイミングで記入されたストロークを前記記入情報から切取ストロークとして抽出する切取ストローク抽出手段と、前記切取ストロークに基づいて、前記記入情報の一部である切取エリアを特定する切取エリア特定手段と、前記記入情報に基づいて前記座標情報を参照することにより、前記貼付ボックスにストロークが記入されたか否かを判定する貼付判定手段と、前記貼付判定手段が前記貼付ボックスに前記ストロークが記入されたと判定した場合に、当該ストロークの直前又は直後のうち予め決められたいずれか一方のタイミングで記入されたストロークの位置座標を始点として特定する始点特定手段と、前記切取エリアに対応する情報を削除し、当該情報を前記始点の位置に貼り付けるように前記記入情報を編集する編集手段と、前記編集手段が編集した記入情報を記憶する記憶手段と、を備える。
【０００７】
上記のように構成された処理システムにおいて、記入者は、まず、電子ペンを使用して電子ペン用帳票に所定の記入を行う。電子ペンは、移動に伴って帳票上のドットパターンを読み取り、記入者が記入したチェックマークや文字に関する記入情報を取得する。ここで、記入情報には、当該ドットパターン上の位置座標が含まれている。電子ペンが取得した記入情報は、処理システムにより取得される。処理システムは、記入情報に含まれるドットパターン上の位置座標に基づいて、座標情報を参照することにより、切取ボックスにストロークが記入されたか否かを判定する。そして、切取ボックスにストロークが記入されたと判定した場合、処理システムは、当該ストロークの直前又は直後のうち予め決められたいずれか一方のタイミングで記入されたストロークを切取ストロークとする。さらに、処理システムは、切取ストロークに基づいて切取エリアを特定する。
【０００８】
また、処理システムは、記入情報に含まれるドットパターン上の位置座標に基づいて、座標情報を参照することにより、貼付ボックスにストロークが記入されたか否かを判定する。そして、貼付ボックスにストロークが記入されたと判定した場合、処理システムは、当該ストロークの直前又は直後のうち予め決められたいずれか一方のタイミングで記入されたストロークの位置座標に基づいて始点を設定する。さらに、処理システムは、電子ペンから取得した記入情報から特定した切取エリアに対応する情報を抽出し、抽出した当該情報を始点の位置に貼り付けるような編集を行う。そして、処理システムは、編集後の記入情報を記憶する。
【０００９】
このように、記入者が電子ペンを使用して電子ペン用帳票に所定の記入を行うことにより、切り取りや貼り付けといった編集処理を指定することができる。つまり、電子ペン用帳票に記入した情報を電子データとして管理しているＰＣやサーバにおいて複雑な操作をすることなく、電子ペン用帳票への記入のみにより、当該電子データを容易に編集することができる。
【００１０】
本発明の別の観点では、電子ペンにより認識可能なドットパターンが印刷された電子ペン用帳票を使用した処理システムにおいて、前記電子ペン用帳票は、記入者が前記電子ペンにより記入を行うものであって、前記記入者が記入した記入情報の一部をコピーするためのコピーボックスと、前記記入情報の一部を貼り付けるための貼付ボックスとが設定されており、前記処理システムは、前記コピーボックス及び前記貼付ボックスと、前記ドットパターン上のそれぞれの位置座標とが対応付けされた座標情報を取得する座標情報取得手段と、前記記入情報を取得する記入情報取得手段と、前記記入情報に基づいて前記座標情報を参照することにより、前記コピーボックスにストロークが記入されたか否かを判定するコピー判定手段と、前記コピー判定手段が前記コピーボックスにストロークが記入されたと判定した場合に、当該ストロークの直前又は直後のうち予め決められたいずれか一方のタイミングで記入されたストロークを前記記入情報からコピーストロークとして抽出するコピーストローク抽出手段と、前記コピーストロークに基づいて、前記記入情報の一部であるコピーエリアを特定するコピーエリア特定手段と、前記記入情報に基づいて前記座標情報を参照することにより、前記貼付ボックスにストロークが記入されたか否かを判定する貼付判定手段と、前記貼付判定手段が前記貼付ボックスに前記ストロークが記入されたと判定した場合に、当該ストロークの直前又は直後のうち予め決められたいずれか一方のタイミングで記入されたストロークの位置座標を始点として特定する始点特定手段と、前記コピーエリアに対応する情報をコピーし、当該情報を前記始点の位置に貼り付けるように前記記入情報を編集する編集手段と、前記編集手段が編集した記入情報を記憶する記憶手段と、を備える。
【００１１】
上記のように構成された処理システムにおいて、記入者は、まず、電子ペンを使用して電子ペン用帳票に所定の記入を行う。電子ペンは、移動に伴って帳票上のドットパターンを読み取り、記入者が記入したチェックマークや文字に関する記入情報を取得する。ここで、記入情報には、当該ドットパターン上の位置座標が含まれている。電子ペンが取得した記入情報は、処理システムにより取得される。処理システムは、記入情報に含まれるドットパターン上の位置座標に基づいて、座標情報を参照することにより、コピーボックスにストロークが記入されたか否かを判定する。そして、コピーボックスにストロークが記入されたと判定した場合、処理システムは、当該ストロークの直前又は直後のうち予め決められたいずれか一方のタイミングで記入されたストロークをコピーストロークとする。さらに、処理システムは、コピーストロークに基づいてコピーエリアを特定する。
【００１２】
また、処理システムは、記入情報に含まれるドットパターン上の位置座標に基づいて、座標情報を参照することにより、貼付ボックスにストロークが記入されたか否かを判定する。そして、貼付ボックスにストロークが記入されたと判定した場合、処理システムは、当該ストロークの直前又は直後のうち予め決められたいずれか一方のタイミングで記入されたストロークの位置座標に基づいて始点を設定する。さらに、処理システムは、電子ペンから取得した記入情報から特定したコピーエリアに対応する情報を抽出してコピーし、コピーした当該情報を始点の位置に貼り付けるような編集を行う。そして、処理システムは、編集後の記入情報を記憶する。
【００１３】
このように、記入者が電子ペンを使用して電子ペン用帳票に所定の記入を行うことにより、切り取りやコピーといった編集処理を指定することができる。つまり、電子ペン用帳票に記入した情報を電子データとして管理しているＰＣやサーバにおいて複雑な操作をすることなく、ノート３への記入のみにより、当該電子データを容易に編集することができる。
【００１４】
本発明の別の観点では、電子ペンにより認識可能なドットパターンが印刷された電子ペン用帳票を使用した処理システムにおいて、前記電子ペン用帳票は、記入者が前記電子ペンにより記入を行うものであって、前記記入者が記入した記入情報の処理を起動するための起動ボックスと、記入者のＩＤを記入するためのＩＤ項目と、パスワードを記入するためのパスワード項目とが設定されており、前記処理システムは、前記ＩＤに対応付けて、起動するために必要なパスワードを記憶する記憶手段と、前記起動ボックス、前記ＩＤ項目及び前記パスワード項目と、前記ドットパターン上のそれぞれの位置座標とが対応付けされた座標情報を取得する座標情報取得手段と、前記記入情報を取得する記入情報取得手段と、前記記入情報に基づいて前記座標情報を参照することにより、前記起動ボックスにストロークが記入されたか否かを判定する起動判定手段と、前記起動判定手段が前記起動ボックスにストロークが記入されたと判定した場合に、前記座標情報に基づいて、前記記入情報から前記ＩＤ項目に記入されたストロークをＩＤストロークとして抽出するＩＤ抽出手段と、前記ＩＤストロークを文字認識することにより、記入者が記入したＩＤを特定するＩＤ特定手段と、特定した前記ＩＤに基づいて、前記記憶手段から対応するパスワードを取得するパスワード取得手段と、前記座標情報に基づいて、前記記入情報から前記パスワード項目に記入されたストロークをパスワードストロークとして抽出するパスワード抽出手段と、前記パスワードストロークを文字認識することにより、記入者が記入したパスワードを特定するパスワード特定手段と、前記パスワード特定手段が特定したパスワードと、前記パスワード取得手段が取得したパスワードとが一致するか否かを判定するパスワード判定手段と、前記パスワード判定手段が一致した場合にのみ、前記記入情報に対する処理を起動する起動手段と、を備える。
【００１５】
上記のように構成された処理システムは、電子ペンが取得した記入情報を取得する。処理システムは、記入情報に含まれるドットパターン上の位置座標に基づいて、座標情報を参照することにより、起動ボックスにストロークが記入されたか否かを判定する。そして、起動ボックスにストロークが記入されたと判定した場合、処理システムは、記入情報に基づいて座標情報を参照することにより、ＩＤ項目に記入されたストロークをＩＤストロークとして抽出する。さらに、処理システムは、抽出したＩＤストロークを文字認識することにより、記入者が記入したＩＤを特定する。そして、処理システムは、特定したＩＤをキーとして記憶手段から対応するパスワードを取得する。
【００１６】
次に、処理システムは、記入情報に基づいて座標情報を参照することにより、パスワード項目に記入されたストロークをパスワードストロークとして抽出する。さらに、処理システムは、抽出したパスワードストロークを文字認識することにより、記入者が記入したパスワードを特定する。そして、処理システムは、記憶手段から取得したパスワードと、特定したパスワードとを比較し、一致する場合にのみ電子ペン用帳票を起動させ、記入情報に対する所定の処理を行う。
【００１７】
このように、記入者が電子ペンを使用して電子ペン用帳票に予め決められたＩＤ及びパスワードを記入することにより、初めて電子ペン用帳票が起動し、記入情報に対する所定の処理を実行する。よって、処理システムは、ＩＤ及びパスワードによって電子ペン用帳票の起動を制限することで、不正な記入者による処理を排除することが可能となる。
【００１８】
本発明の別の観点では、前記電子ペン用帳票は、記入者が前記電子ペンにより記入を行うものであって、前記記入者が記入した記入情報を検索するための検索ボックスと、前記検索の条件となるキーワードを記入するためのキーワード項目とが設定されており、前記処理システムは、前記記入情報を取得する記入情報取得手段と、前記記入情報を記憶する記憶手段と、前記検索ボックス及び前記キーワード項目と、前記ドットパターン上のそれぞれの位置座標とが対応付けされた座標情報を取得する座標情報取得手段と、前記記入情報に基づいて前記座標情報を参照することにより、前記検索ボックスにストロークが記入されたか否かを判定する検索判定手段と、前記検索判定手段が前記検索ボックスにストロークが記入されたと判定した場合に、前記座標情報に基づいて、前記記入情報から前記キーワード項目に記入されたストロークをキーワードストロークとして抽出するキーワード抽出手段と、前記キーワードストロークを文字認識することにより、記入者が記入したキーワードを特定するキーワード特定手段と、特定した前記キーワードに基づいて前記記憶手段を検索し、当該キーワードを含む記入情報を抽出する記憶情報抽出手段と、を備える。
【００１９】
上記のように構成された処理システムは、電子ペンが取得した記入情報を取得する。処理システムは、記入情報に含まれるドットパターン上の位置座標に基づいて、座標情報を参照することにより検索ボックスにストロークが記入されたか否かを判定する。そして、検索ボックスにストロークが記入されたと判定した場合、処理システムは、記入情報に基づいて座標情報を参照することにより、キーワード項目に記入されたストロークをキーワードストロークとして抽出する。さらに、処理システムは、抽出したキーワードストロークを文字認識することにより、記入者が記入したキーワードを特定する。そして、処理システムは、特定したキーワードに基づいて記憶手段から、当該キーワードを含む記入情報を抽出する。
【００２０】
このように、記入者が電子ペンを使用して電子ペン用帳票に検索条件としてキーワードを記入することにより、ＰＣやサーバ上で複雑な操作を行うことなく容易に、条件に合致するデータを抽出することができる。
【００２１】
本発明の別の観点では、電子ペンにより認識可能なドットパターンが印刷された電子ペン用帳票を使用した処理システムにおいて、前記電子ペン用帳票は、記入者が前記電子ペンにより記入を行うものであって、前記記入者が記入した記入情報を検索するための検索ボックスと、前記検索の条件となる記入日を記入するための記入日項目とが設定されており、前記処理システムは、前記記入情報を取得する記入情報取得手段と、前記記入情報を記憶する記憶手段と、前記検索ボックス及び前記記入日項目と、前記ドットパターン上のそれぞれの位置座標とが対応付けされた座標情報を取得する座標情報取得手段と、前記記入情報に基づいて前記座標情報を参照することにより、前記検索ボックスにストロークが記入されたか否かを判定する検索判定手段と、前記検索判定手段が前記検索ボックスにストロークが記入されたと判定した場合に、前記座標情報に基づいて、前記記入情報から前記記入日項目に記入されたストロークを記入日ストロークとして抽出する記入日抽出手段と、前記記入日ストロークを文字認識することにより、前記記入者が前記記入日項目に記入した記入日を特定する記入日特定手段と、特定した前記記入日に基づいて前記記憶手段を検索し、当該記入日に記入された記入情報を抽出する記入情報抽出手段と、を備える。
【００２２】
上記のように構成された処理システムは、電子ペンが取得した記入情報を取得する。処理システムは、記入情報に含まれるドットパターン上の位置座標に基づいて、座標情報を参照することにより検索ボックスにストロークが記入されたか否かを判定する。そして、検索ボックスにストロークが記入されたと判定した場合、処理システムは、記入情報に基づいて座標情報を参照することにより、記入日項目に記入されたストロークを記入日ストロークとして抽出する。さらに、処理システムは、抽出した記入日ストロークを文字認識することにより、記入者が記入日項目に検索条件として記入した記入日を特定する。そして、処理システムは、特定した記入日に基づいて記憶手段から、当該記入日に記入された記入情報を抽出する。
【００２３】
このように、記入者が電子ペンを使用して電子ペン用帳票に検索条件としてキーワードを記入することにより、ＰＣやサーバ上で複雑な操作を行うことなく容易に、条件に合致するデータを抽出することができる。
【００２４】
本発明の別の観点では、電子ペンにより認識可能なドットパターンが印刷された電子ペン用帳票を使用したコンピュータにより実行されるプログラムであって、前記電子ペン用帳票は、記入者が前記電子ペンにより記入を行うものであって、前記記入者が記入した記入情報の一部を切り取るための切取ボックスと、前記記入情報の一部を貼り付けるための貼付ボックスとが設定されており、前記プログラムは、前記切取ボックス及び前記貼付ボックスと、前記ドットパターン上のそれぞれの位置座標とが対応付けされた座標情報を取得する座標情報取得手段、前記記入情報を取得する記入情報取得手段、前記記入情報に基づいて前記座標情報を参照することにより、前記切取ボックスにストロークが記入されたか否かを判定する切取判定手段、前記切取判定手段が前記切取ボックスにストロークが記入されたと判定した場合に、当該ストロークの直前又は直後のうち予め決められたいずれか一方のタイミングで記入されたストロークを前記記入情報から切取ストロークとして抽出する切取ストローク抽出手段、前記切取ストロークに基づいて、前記記入情報の一部である切取エリアを特定する切取エリア特定手段、前記記入情報に基づいて前記座標情報を参照することにより、前記貼付ボックスにストロークが記入されたか否かを判定する貼付判定手段、前記貼付判定手段が前記貼付ボックスに前記ストロークが記入されたと判定した場合に、当該ストロークの直前又は直後のうち予め決められたいずれか一方のタイミングで記入されたストロークの位置座標を始点として特定する始点特定手段、前記切取エリアに対応する情報を削除し、当該情報を前記始点の位置に貼り付けるように前記記入情報を編集する編集手段、前記編集手段が編集した記入情報を記憶する記憶手段、として前記コンピュータを機能させる。
【００２５】
上記プログラムをコンピュータにより実行することにより、上述の処理システムを実現することができる。また、上述の処理システムの各態様も同様に実現することができる。
【００２６】
本発明の別の観点では、インクペンユニット及び光学的にドットパターンを読み取る読取ユニットを備える電子ペンにより記入情報が記入される電子ペン用帳票であって、前記記入情報の一部を切り取るための切取ボックスと、前記記入情報の一部を貼り付けるための貼付ボックスとが設けられている。
【００２７】
本発明の別の観点では、インクペンユニット及び光学的にドットパターンを読み取る読取ユニットを備える電子ペンにより記入情報が記入される電子ペン用帳票であって、前記記入情報の一部をコピーするためのコピーボックスと、前記記入情報の一部を貼り付けるための貼付ボックスとが設けられている。
【００２８】
これによれば、記入者が電子ペンを使用して電子ペン用帳票に所定の記入を行うことにより、切り取りやコピー、貼り付けといった編集処理を指定することができる。つまり、電子ペン用帳票に記入した情報を電子データとして管理しているＰＣやサーバにおいて複雑な操作をすることなく、電子ペン用帳票への記入のみにより、当該電子データを容易に編集することができる。
【００２９】
本発明の別の観点では、インクペンユニット及び光学的にドットパターンを読み取る読取ユニットを備える電子ペンにより記入情報が記入される電子ペン用帳票であって、前記記入者が記入した記入情報の処理を起動するための起動ボックスと、記入者のＩＤを記入するためのＩＤ項目と、パスワード項目とが設けられている。これによれば、記入者が電子ペンを使用して電子ペン用帳票に予め決められたＩＤ及びパスワードを記入することにより、初めて電子ペン用帳票が起動し、記入情報に対する所定の処理を実行する。よって、処理システムは、ＩＤ及びパスワードによって電子ペン用帳票の起動を制限することで、不正な記入者による処理を排除することが可能となる。
【００３０】
本発明の別の観点では、インクペンユニット及び光学的にドットパターンを読み取る読取ユニットを備える電子ペンにより記入情報が記入される電子ペン用帳票であって、前記記入者が記入した記入情報を検索するための検索ボックスと、前記検索の条件となるキーワードを記入するためのキーワード項目とが設けられている。
【００３１】
本発明のさらに別の観点では、インクペンユニット及び光学的にドットパターンを読み取る読取ユニットを備える電子ペンにより記入情報が記入される電子ペン用帳票であって、前記記入者が記入した記入情報を検索するための検索ボックスと、前記検索の条件となる記入日を記入するための記入日項目とが設けられている。これによれば、記入者が電子ペンを使用して電子ペン用帳票に検索条件としてキーワードや記入日を記入することにより、ＰＣやサーバ上で複雑な操作を行うことなく容易に、条件に合致するデータを抽出することができる。
【発明の効果】
【００３２】
本発明によれば、電子ペン用帳票への記入によって特定の処理を指定し、当該帳票に記入された情報に対応する電子データに対して指定した処理を行うことができる。
【発明を実施するための最良の形態】
【００３３】
以下、図面を参照して本発明の好適な実施の形態について説明する。まず、本発明のシステムにおいて入力デバイスとして使用される電子ペンの概要について説明する。
【００３４】
［電子ペン］
図１は電子ペンの使用形態を模式的に示す図であり、図２は電子ペンの構造を示す機能ブロック図である。図１に示すように、電子ペン１０は、ドットパターンが印刷された専用ペーパー２０と組み合わせて使用される。電子ペン１０は、通常のインクペンと同様のペン先部１７を備えており、利用者は通常のインクペンと同様に専用ペーパー２０上に文字などを書くことになる。
【００３５】
図２に示すように、電子ペン１０は、その内部にプロセッサ１１、メモリ１２、データ通信ユニット１３、バッテリー１４、ＬＥＤ１５、カメラ１６及び圧力センサ１８を備える。また、電子ペン１０は通常のインクペンと同様の構成要素としてインクカートリッジ（図示せず）などを有する。
【００３６】
電子ペン１０は、ペン先部１７により専用ペーパー２０上に描かれたインクの軌跡をデータ化するのではなく、専用ペーパー２０上で電子ペン１０が移動した軌跡座標をデータ化する。ＬＥＤ１５が専用ペーパー２０上のペン先部１７近傍を照明しつつ、カメラ１６が専用ペーパー２０に印刷されているドットパターンを読み取り、データ化する。つまり、電子ペン１０は専用ペーパー２０上で利用者が電子ペン１０を移動させることにより生じるストロークを画像データ又はベクトルデータとして取得することができる。
【００３７】
圧力センサ１８は、利用者が電子ペン１０により専用ペーパー上に文字などを書く際にペン先部１７に与えられる圧力、即ち筆圧を検出し、プロセッサ１１へ供給する。プロセッサ１１は、圧力センサ１８から与えられる筆圧データに基づいて、ＬＥＤ１５及びカメラ１６のスイッチオン／オフの切換を行う。即ち、利用者が電子ペン１０で専用ペーパー２０上に文字などを書くと、ペン先部１７には筆圧がかかる。よって、所定値以上の筆圧が検出されたときに、利用者が記述を開始したと判定して、ＬＥＤ１５及びカメラ１６を作動する。
【００３８】
カメラ１６は専用ペーパー２０上のドットパターンを読み取り、そのパターンデータをプロセッサ１１に供給する。プロセッサ１１は、供給されたドットパターンから、専用ペーパー２０上でのＸ／Ｙ座標を算出する。
【００３９】
プロセッサ１１は、利用者の記述が行われる間に、筆圧の配列データ及びＸ／Ｙ座標データを取得し、タイムスタンプ（時間情報）と関連付けてメモリ１２に記憶していく。よって、メモリ１２内には利用者の記述内容に対応するデータが時系列で記憶されていく。メモリ１２の容量は例えば１Ｍバイト程度とすることができる。
【００４０】
利用者により送信指示がなされるまでは、取得された全てのデータはメモリ１２内に保持される。そして、利用者が送信指示を行うと、データ通信ユニット１３により、電子ペン１０と所定距離内にある端末装置２５へメモリ１２内のデータが送信される。基本的には、一度送信指示がなされると、電子ペン１０はメモリ１２内に記憶していた全てのデータを端末装置２５へ送信するため、メモリ１２内はクリアされる。よって、送信後にもう一度同じ情報を端末装置２５へ送信したい場合には、利用者は専用ペーパー２０上に再度記述を行う必要がある。なお、この場合、利用者は専用ペーパー２０上にインクペンで書かれた文字などをなぞればよいことになる。
【００４１】
電子ペン１０自体は、送信ボタンなどの機能ボタンを備えておらず、送信指示その他の指示は、利用者が専用ペーパー２０上の所定位置に設けられた専用ボックスを電子ペン１０でチェックすることにより実行される。専用ボックスの位置座標には、予め送信指示が対応付けられており、プロセッサ１１は専用ボックスの位置座標を受信すると、データ通信ユニット１３にメモリ１２内のデータを供給し、端末装置２５への送信を行わせる。なお、電子ペン１０は、データの送信完了を電子ペンの振動により示すことができる。
【００４２】
バッテリー１４は電子ペン１０内の各要素に電源供給するためのものであり、例えば電子ペンのキャップ（図示せず）により電子ペン１０自体の電源のオン／オフを行うことができる。
【００４３】
このように、電子ペン１０は利用者が専用ペーパー２０上に記述した文字などに対応する座標データ及び筆圧データを取得して近傍の端末装置２５へ送信する機能を有するが、電子ペン１０のペン先部１７は通常のインクペンとなっているため、専用ペーパー２０上に記述した内容はオリジナルの原本として残るという特徴がある。即ち、紙の原本に対して記述するのと同時に、その内容を座標データなどの形態でリアルタイムに電子化することができる。
【００４４】
なお、電子ペン１０の標準機能によれば、電子ペン１０により得られるデータは、原則として座標データ又はベクトルデータの形態であり、テキストデータではない。但し、電子ペン１０は標準機能として、専用ペーパー２０上に設けられた専用エリアに記述することにより、英数字に限りテキスト化する機能は備えている。
【００４５】
また、電子ペン１０内には、ペン自体及びその所有者に関するプロパティ情報（ペン情報及びペン所有者情報）を保持することができ、アプリケーションから参照することができる。ペン情報としては、バッテリーレベル、ペンＩＤ、ペン製造者番号、ペンソフトウェアのバージョン、サブスクリプションプロバイダのＩＤなどを保持できる。また、ペン所有者情報としては、国籍、言語、タイムゾーン、emailアドレス、空きメモリ容量、名称、住所、ファックス／電話番号、携帯電話番号などを保持することができる。
【００４６】
なお、上記の例におけるデータ通信ユニット１３では、Bluetooth（登録商標）の無線伝送、ＵＳＢケーブルを使用した有線伝送、端子などの接触によるデータ伝送など、各種の方法によって電子ペン１０から端末装置２５へのデータ送信を行うことが考えられる。
【００４７】
次に、電子ペンにより利用者が記述した内容のＸ／Ｙ座標データを取得する方法について説明する。前述のように専用ペーパー２０には、所定のドットパターンが印刷されている。電子ペン１０のカメラ１６は、利用者が専用ペーパー２０上に記述したインクの軌跡を読み取るのではなく、専用ペーパー２０上のドットパターンを読み取る。実際、図１に示すように、ＬＥＤ１５による照明エリア及びカメラ１６の撮影エリア（照明エリア内に位置する）は、ペン先部１７が専用ペーパー２０に接触する位置とはずれている。
【００４８】
ドットパターンはカーボンを含む専用インキなどで印刷されており、カメラ１６はその専用インキによるパターンのみを認識することができる。専用インキ以外のインキ（カーボンを含まない）により、専用ペーパー上に罫線や枠などを印刷しても、電子ペンはそれらを認識することはない。よって、専用ペーパーを利用して各種申込書などの帳票を作成する際は、専用インキ以外のインキで入力枠や罫線、注意書きなどを印刷する。
【００４９】
ドットパターンは、図３に例示するように、各ドットの位置がデータに対応付けされている。図３の例では、ドットの位置を格子の基準位置（縦線及び横線の交差点）から上下左右にシフトすることにより、０〜３の２ビット情報を表示した例である。このようにして表現された情報の組合せにより、専用ペーパー上の位置座標が決定される。図４（ａ）に例示するように、縦横２mmの範囲内に３６個のドットが格子状に配置され、これらのドットにより示されるデータの配列（図４（ｂ））が、その専用ペーパー上の位置座標と対応付けされている。よって、電子ペン１０のカメラ１６が図４（ａ）に示すようなドットパターンを撮影すると、プロセッサ１１はカメラ１６から入力されるドットパターンのデータに基づいて図４（ｂ）に示すデータ配列を取得し、それに対応する専用ペーパー上の位置座標（即ち、そのドットパターンがその専用ペーパー上のどの位置にあるのか）をリアルタイムで算出する。なお、ドットパターンを認識する最小単位は２mm×２mmであり、カメラ１６は毎秒１００回程度の撮影を行う。
【００５０】
次に、専用ペーパーについて説明する。専用ペーパーの構造の一例を図５に示す。図示のように、専用ペーパー２０は、台紙３０上にドットパターン３２が印刷され、その上に罫線などの図案３４が印刷されている。台紙３０は通常は紙であり、ドットパターン３２は前述のようにカーボンを含んだ専用インキにより印刷される。また、通常のインキなどにより図案３４が印刷される。ドットパターンと図案とは同時に印刷してもよいし、いずれかを先に印刷してもよい。
【００５１】
図案３４の例を図６に示す。図６は、ある申込書３６の例であり、複数の記入欄３８や送信ボックス３９が印刷されている。図６には明確に図示されておらず、詳細は後述するが、実際にはドットパターンが申込書３６の全面に印刷されており、その上に記入欄３８や送信ボックス３９が通常のインキにより印刷されている。利用者は、ドットパターンを意識することなく、従来からある申込書と同様に、電子ペン１０を使用して必要事項を申込書３６の各記入欄３８に記入すればよい。
【００５２】
専用ペーパー２０上のエリアは大きく２種類のエリアに分けることができる。１つは記入エリアであり、電子ペン１０による記述内容をそのまま情報として取り扱うエリアである。図６の例では複数の記入欄３８がこれに該当する。もう１つは機能エレメントであり、対応するエリア内を電子ペン１０でチェックした際に、予めそのエリアに対して定義されているアクション、指示などを実行するようになっている。図６の例における送信ボックス３９がこれに該当する。
【００５３】
送信ボックス３９は前述したように電子ペン１０内に記憶されているデータを近傍の端末装置２５へ送信するための指示を行う際に使用される。利用者が送信ボックス３９内に電子ペン１０でチェックを入れると、電子ペン１０が送信ボックス内のドットパターンを読み取る。当該パターンは送信指示に対応付けられており、電子ペン１０内のプロセッサ１１はデータ通信ユニット１３にメモリ１２内の記憶データの送信命令を発する。
【００５４】
ドットパターンの割り当ては、通常、アプリケーション（用紙の種類）毎に行われる。即ち、ある申込書内のドットパターンは１枚の用紙の中で重複することはないが、同一の申込書には全て同じドットパターンが印刷されている。よって、利用者が電子ペン１０で必要事項を入力すると、その入力事項がその申込書のどの項目に対するものであるかを、申込書上の座標データから特定することができる。
【００５５】
このように、ドットパターンを印刷した専用ペーパー上に所定の図案を印刷することにより、専用ペーパーを利用した各種申込書が作成できる。利用者は電子ペン１０を使用して通常の要領で必要事項を記入すれば、その電子データが自動的に取得される。
【００５６】
上記の例では、ドットパターンは専用ペーパー上にカーボンを含むインキにより印刷されているが、プリンタ及びカーボンを含むインクを使用してドットパターンを通常の紙上にプリントすることも可能である。さらに、専用ペーパー上の図案も印刷ではなく、プリンタにより形成することも可能である。ドットパターンをプリンタにより紙上に形成する場合には、１枚１枚に異なるドットパターンを形成することが可能である。よって、形成されたドットパターンの違いにより、それらの用紙１枚１枚を識別し、区別することが可能となる。
【００５７】
なお、本明細書においては、「印刷」の語は、通常の印刷のみならず、プリンタによるプリントも含む概念とする。
【００５８】
次に、電子ペンにより取得したデータの送信処理について図２を参照して説明する。電子ペン１０が取得したデータは、主として利用者が入力した事項のデータであるが、通常はそのデータの送信先であるサービスサーバがどこであるかの情報は含まれていない。その代わりに、その専用ペーパーに関するアプリケーションやサービスを特定する情報が専用ペーパー上のドットパターンに含まれており、利用者の入力作業中に専用ペーパーからその情報が取得されている。よって、電子ペン１０から記入データを受け取った端末装置２５は、まず、問い合わせサーバ２６に対して、その専用ペーパーに対して入力されたデータをどのサービスサーバ２７へ送信すべきかの問い合わせを行う。問い合わせサーバ２６は、専用ペーパー毎に、対応するサービスサーバの情報を有しており、端末装置２５からの問い合わせに応じて、当該専用ペーパーに関するサービスなどを行うサービスサーバ２７の情報（ＵＲＬなど）を端末装置２５へ回答する。それから、端末装置２５は、電子ペンから取得した記入データをそのサービスサーバ２７へ送信することになる。
【００５９】
なお、上記の例では端末装置２５、問い合わせサーバ２６及びサービスサーバ２７が別個に構成されているが、これらの幾つか又は全てを１つの装置として構成することも可能である。本実施形態において、後述するサーバは、問い合わせサーバ２６及びサービスサーバ２７を兼ねているものとする。
【００６０】
[第１実施形態]
（i）編集処理システム
次に、本発明の編集処理システムについて説明する。図７に編集処理システム１００の概略構成を示す。図７に示す編集処理システム１００は、利用者が電子ペン用帳票（以下、「ノート」と呼ぶ。）に所定の記入を行うことで特定の処理を指定することができ、当該ノートに記入した情報に対応する電子データに対して利用者が指定した処理を行うものである。
【００６１】
図７に示すように、編集処理システム１００は、端末装置２５及びサーバ５がネットワーク２を通じて接続されることにより構成される。ここで、ネットワーク２の１つの好適な例はインターネットである。また、端末装置２５とは、利用者が使用するＰＣや携帯電話といったネットワーク２を介してデータの授受が可能な端末である。なお、サーバ５は、記入情報データベース（以下、「ＤＢ」と呼ぶ。）７に接続されている。
【００６２】
まず、本システムにおける記入情報の編集方法の概要を述べておく。ノート３は、上述の専用ペーパーとして作成されたものであり、図８に示すように、罫線が引かれている。また、記入情報の編集を行うために必要なコピーボックス５０、切取ボックス５１及び貼付ボックス５２が設定されている。さらに、図６に示す送信ボックス３９と同一の機能を有する送信ボックス５３が設定されている。
【００６３】
利用者は、図８に示すように、電子ペン１０を使用して所定の内容をノート３に記入する。そして、図８における３行目の文章「今月末までに検証作業を完了する予定。」を切り取り、７行目に貼り付けたいと考えた場合、利用者は電子ペン１０を使用して、当該文章をストローク５５で囲む。即ち、利用者は、切り取りたい文章をストロークで囲むことにより、切り取りたい文章のノート３上におけるエリアを指定する。ここで、ストロークとは、一筆で記入する線分や記号、文字等のことをいう。さらに、利用者は電子ペン１０を使用して切取ボックス５１にチェックマークを記入する。
【００６４】
次に、利用者は、ストローク５５により指定した文章「今月末までに検証作業を完了する予定。」を貼り付けたい位置にストローク５６を記入する。即ち、利用者は、当該文章を貼り付ける始点を、ストローク５６を記入することにより指定する。電子ペン１０は記入された内容に対応するストロークデータを取得し、電子ペン１０内のメモリ１２に一時的に記憶した後、当該ストロークデータを端末装置２５へ送信する。端末装置２５は、電子ペン１０からストロークデータを受信し、ネットワーク２を通じてサーバ５へ送信する。サーバ５は、ストロークデータを、利用者がノート３に対して記入した内容を示す記入情報の電子データとして取得する。
【００６５】
サーバ５は、取得した記入情報に、ノート３のドットパターン上においてコピーボックス５０、切取ボックス５１又は貼付ボックス５２といった編集ボックスが位置する座標を含むストロークがあれば抽出し、当該抽出したストロークに基づいて利用者が編集したいエリアや始点を特定する。そして、記入情報から編集したいエリアに対応する情報を抽出し、始点に基づいて当該情報を貼付する。
【００６６】
具体的に、サーバ５は、図８に示すような切取ボックス５１に記入されたチェックマークを記入情報から抽出し、当該チェックマークの直前に記入されたストローク５５に基づいて、破線で示す切取エリア５９を特定する。また、貼付ボックス５２に記入されたチェックマークを記入情報から抽出し、当該チェックマークの直前に記入されたストローク５６に基づいて、切り取った文章を貼り付ける始点を特定する。そして、サーバ５は、破線で示す切取エリア５９に対応する記入情報、具体的には文章「今月末までに検証作業を完了する予定。」を切り取り、始点５６の位置に貼り付ける。
【００６７】
このように、利用者が電子ペン１０を使用してノート３に所定の記入を行うことにより、切り取りやコピー、貼り付けといった編集処理を指定することができる。つまり、端末装置２５やサーバ５において複雑な操作をすることなく、ノート３への記入のみにより、記入情報に対応する電子データを容易に編集することができる。
【００６８】
（ii）ノート
次に、ノート３について説明する。本発明のシステムでは、図８に示すようなノート３は、上述した専用ペーパーとして作成されている。即ち、図５に例示するように台紙３０上に所定のドットパターン３２が印刷されており、その上に所定の各ボックスや罫線などが印刷されている。先に述べたように、ドットパターン３２は電子ペン１０が認識することができるように、カーボンを含んだインキにより印刷されている。一方、各ボックスや罫線などの図案３４は、通常の（カーボンを含まない）インキにより印刷されているため、電子ペン１０がそれを認識することはない。
【００６９】
図８に示すように、ノート３には、利用者が文字を記入しやすいように罫線が引かれており、記入情報に対応する電子データを編集するためのコピーボックス５０、切取ボックス５１及び貼付ボックス５２が設定されている。なお、コピーボックス５０、切取ボックス５１及び貼付ボックス５２を総称して編集ボックスと呼ぶ。
【００７０】
また、ノート３には、電子ペン１０及び端末装置２５を介して記入情報をサーバ５へ送信するための送信ボックス５３が設定されている。利用者は、電子ペン１０を使用して編集ボックスにチェックマークを記入することにより、サーバ５に対して当該ボックスに対応付けられた処理を行うよう指示することができる。
【００７１】
（iii）サーバ
次に、サーバ５について詳しく説明する。図９は、編集処理システム１００における、特にサーバ５の内部構成を示す。図示のように、サーバ５は、編集処理プログラム５０１、記入情報取得機能５０２、ボックス特定機能５０３、座標テーブル５０４、編集エリア特定機能５０５、始点特定機能５０６、編集機能５０７及び記憶機能５０８から構成されている。なお、各機能は、サーバ５が有するＣＰＵが予め用意されたプログラムを実行することにより実現される。
【００７２】
編集処理プログラム５０１は、電子ペン１０から取得した記入情報に基づいて座標テーブル５０４を参照することにより、利用者が指定する処理を特定し、当該記入情報に対して指定された処理を行うプログラムである。また、編集処理プログラム５０１は、編集後の記入情報を記入情報ＤＢ７に記憶し、一括管理するプログラムである。
【００７３】
記入情報取得機能５０２は、編集処理プログラム５０１を実行することにより、利用者が電子ペン１０を使用してノート３に記入した記入情報を電子データとして取得する機能である。
【００７４】
ボックス特定機能５０３は、記入情報取得機能５０２が取得した記入情報に基づいて座標テーブル５０４を参照することにより、ノート３上のいずれかのボックスにチェックマークが記入されたことを特定する機能である。ここで、座標テーブル５０４について説明する。座標テーブル５０４は、図１０に示すように、ボックス名に対応付けて座標データを記憶している。ボックス名は、ノート３上に設定されたコピーボックス５０、切取ボックス５１、貼付ボックス５２及び送信ボックス５３のいずれかを示す名称である。具体的に、図１０に示すような、ボックス名「コピー」はコピーボックス５０を、ボックス名「切取」は切取ボックス５１を示しているものとする。また、座標データは、各ボックスのノート３上における配置を示す情報である。ボックス特定機能５０３は、記入情報取得機能５０２が取得した記入情報に基づいて、図１０に示すような座標テーブル５０４を参照することにより、チェックマークが記入されたボックスを特定する。
【００７５】
編集エリア特定機能５０５は、ボックス特定機能５０３がコピーボックス５０にチェックマークが記入されたと特定した場合に、当該チェックマークの直前のストロークをコピーストロークとし、当該コピーストロークに基づき、ノート３上において利用者がコピーしたい記入情報を示すコピーエリアを特定する機能である。また、編集エリア特定機能５０５は、ボックス特定機能５０３が切取ボックス５１にチェックマークが記入されたと特定した場合に、当該チェックマークの直前のストロークを切取ストロークとし、当該切取ストロークに基づき、ノート３上において利用者が切り取りたい記入情報を示す切取エリアを特定する機能である。
【００７６】
ここで、具体的に切取ストロークに基づいて切取エリアを特定する方法について説明する。なお、コピーストロークに基づいてコピーエリアを特定する方法は同様であるため、便宜上説明は省略する。例えば図８に示すようなストローク５５を切取ストロークであるとした場合、編集エリア特定機能５０５は、まず、ストローク５５におけるＸ軸上の最小値及びＹ軸上の最小値から構成される座標６０ａと、ストローク５５におけるＸ軸上の最大値及びＹ軸上の最大値から構成される座標６０ｂを特定する。さらに、編集エリア特定機能５０５は、特定した座標６０ａ及び６０ｂに基づいて、破線で示す四角形を切取エリア５９として設定する。この切取エリア５９は、切取ストローク５５に外接する四角形であり、ノート３上において利用者が切り取りたい記入情報を示すエリアである。このように、切取ストローク５５に外接する四角形を切取エリアとして設定するのは、切取ストローク５５のような自由曲線のみに基づいて、利用者が切り取りたい記入情報を示すエリアを特定することは困難だからである。
【００７７】
始点特定機能５０６は、ボックス特定機能５０３が貼付ボックス５２にチェックマークが記入されたと特定した場合に、当該チェックマークの直前のストロークの位置座標を始点として特定する機能である。ここで、当該チェックマークの直前のストロークとは、図８に示すストローク５６のような渦巻型でもよいが、本発明はこれに限定されるものではなく、１ストロークであれば丸（○）や三角（△）など任意の文字や記号とすることが可能である。
【００７８】
編集機能５０７は、編集エリア特定機能５０５が特定したコピーエリアに記入された情報に対応する電子データを、記入情報取得機能５０２が取得した記入情報から抽出してコピーし、始点特定機能５０６が特定した始点の位置に貼り付けるように電子データを編集する機能である。また、編集機能５０７は、編集エリア特定機能５０５が特定した切取エリアに記入された情報に対応する電子データを、記入情報取得機能５０２が取得した記入情報から抽出し、始点特定機能５０６が特定した始点の位置に貼り付けるように電子データを編集する機能である。
【００７９】
記憶機能５０８は、編集機能５０７により編集された記入情報を記入情報ＤＢ７に記憶し、一括管理する機能である。なお、記入情報は、テキストデータやイメージデータなど任意の形式で記憶することが可能である。
【００８０】
（iv）編集処理
次に、編集処理システム１００により実行される編集処理について説明する。図１１は、編集処理のフローチャートである。なお、本フローチャートでは、利用者が記入した情報の一部を切り取り、他の位置へ貼り付ける編集をしたいと考えた場合について説明する。
【００８１】
利用者は、まず、電子ペン１０を使用し、ノート３の罫線に沿って所定の文字を記入する（ステップＳ１）。文字を記入した後、記入した情報の一部を切り取り、他の位置へ貼り付ける編集が必要であると判断した場合、利用者は、切り取りたい文章が記入されているエリアに対し、切取ストローク５５を記入し（ステップＳ２）、切取ボックス５１にチェックマークを記入する（ステップＳ３）。そして、利用者は、切り取った文章を貼り付けたい位置に始点となるストローク５６を記入し（ステップＳ４）、貼付ボックス５２にチェックマークを記入する（ステップＳ５）。ステップＳ２乃至Ｓ５による編集処理の指定が終了すると、利用者は、ノート３上の送信ボックス５３にチェックマークを記入することにより、端末装置２５を介して記入情報をサーバ５へ送信する（ステップＳ６）。
【００８２】
サーバ５は、記入情報を取得し、当該記入情報に基づいて座標テーブルを参照することにより、ノート３上の切取ボックス５１にチェックマークが記入されたことを特定する（ステップＳ７）。そして、サーバ５は、切取ボックス５１に記入されたチェックマークの直前に記入されたストロークを切取ストロークとし、当該切取ストロークに基づいて切取エリアを特定する（ステップＳ８）。また、サーバ５は、当該記入情報に基づいて座標テーブルを参照することにより、ノート３上の貼付ボックス５２にチェックマークが記入されたことを特定する（ステップＳ９）。そして、サーバ５は、貼付ボックスに記入されたチェックマークの直前に記入されたストロークの位置座標に基づいて始点を特定する（ステップＳ１０）。さらに、サーバ５は、当該記入情報から、切取エリア内に記入された情報に対応する電子データを抽出し、始点が示す位置に当該電子データを貼り付ける編集を行う（ステップＳ１１）。そして、サーバ５は、編集後の記入情報を記入情報ＤＢ７に記憶する（ステップＳ１２）。これにより、編集処理は完了する。
【００８３】
なお、本実施形態では、利用者が切取ストロークを記入した後に切取ボックス５１へチェックマークを記入することとしているが、本発明はこれに限定されるものではなく、切取ボックス５１へチェックマークを記入した後に切取ストロークを記入することとしてもよい。同様に、本実施形態では、利用者が始点となる位置にストロークを記入した後に貼付ボックス５２へチェックマークを記入することとしているが、本発明はこれに限定されるものではなく、貼付ボックス５２へチェックマークを記入した後に始点となるストロークを記入することとしてもよい。
【００８４】
また、本実施形態では、ノート３に記入された記入情報を編集した後、全て記入情報ＤＢ７に記憶することとしているが、本発明はこれに限定されるものではなく、始点となるストロークはイメージとして描画せず、除くこととしても構わない。これによれば、編集のために必要であるが、利用者がノート３に記入しておきたい情報でないストロークを容易に除いて記憶することが可能である。
【００８５】
このように、本発明によれば、特定のエリアを指定し、ノート３上に設定された各種編集ボックスにチェックマークを記入することで、当該ノート３に記入された情報に対応する電子データに対して、利用者が指定した処理を行うことができる。つまり、利用者は、ＰＣやサーバ上で複雑な操作を行わなくとも、電子ペン１０による記入を行うだけで、ノート３に記入した情報に対応する電子データを容易に編集することができる。
【００８６】
[第２実施形態]
（i）起動・検索処理システム
次に、本発明の起動・検索処理システムについて説明する。起動・検索処理システムは、上述の第１実施形態における編集処理システムと同様に、端末装置２５及びサーバ５がネットワーク２を通じて接続されることにより構成される。ここで、ネットワーク２の１つの好適な例はインターネットである。また、端末装置２５とは、利用者が使用するＰＣや携帯電話といったネットワーク２を介してデータの授受が可能な端末である。なお、サーバ５は、記入情報データベースＤＢ７に接続されている。
【００８７】
まず、本システムにおけるノート３の起動方法の概要を述べておく。ノート３は、上述の専用ペーパーとして作成されたものであり、図１２上部に示すように、ノート３を起動するために必要なＩＤを記入するためのＩＤ項目７０、パスワードを記入するためのパスワード項目７１及び起動ボックス７２が設定されている。さらに、図６に示す送信ボックス３９と同一の機能を有する送信ボックス５３が設定されている。なお、サーバ５は、予め利用者毎に設定されているＩＤと、利用者が任意に設定したパスワードとの対応を利用者情報テーブルに記憶し、保有しているものとする。
【００８８】
利用者は、図１２に示すようなノート３のＩＤ項目７０に、予め利用者毎に一意に設定されているＩＤを、電子ペン１０を使用して記入する。また、ノート３のパスワード項目７１に、予め利用者が任意に設定したパスワードを記入する。そして、利用者は、電子ペン１０を使用して起動ボックス７２にチェックマークを記入する。電子ペン１０は、記入された内容に対応するストロークデータを取得し、電子ペン１０内のメモリ１２に一時的に記憶した後、当該ストロークデータを端末装置２５へ送信する。端末装置２５は、電子ペン１０からストロークデータを受信し、ネットワーク２を通じてサーバ５へ送信する。サーバ５は、ストロークデータを、利用者がノート３に対して記入した内容を示す記入情報の電子データとして取得する。
【００８９】
サーバ５は、取得した記入情報に、ノート３のドットパターン上において起動ボックス７２が位置する座標を含むストロークがあった場合に、ＩＤ項目７０及びパスワード項目７１に記入されたストロークを抽出する。さらに、サーバ５は、抽出したストロークを文字認識することにより、ＩＤ項目７０に記入されたＩＤと、パスワード項目に記入されたパスワードを特定する。そして、サーバ５は、特定したＩＤとパスワードに基づいて利用者情報テーブルを参照することにより、利用者が正規か否かを判定する。ここで、正規と判定される場合とは、特定したＩＤに基づいて利用者情報テーブルから抽出したパスワードが、特定したパスワードと一致する場合である。この場合、サーバ５は、ノート３を起動させる。具体的には、利用者がノート３に記入した情報を記入情報として取得し、当該記入情報に対して所定の処理を行う。一方、利用者が不正と判定される場合とは、例えばＩＤのみ記入された場合やパスワードのみ記入された場合、利用者情報テーブルから抽出したパスワードが一致しない場合等である。この場合、サーバ５は、ノート３を起動させない。
【００９０】
このように、利用者が電子ペン１０を使用してノート３に予め決められたＩＤ及びパスワードを記入することにより、初めてノート３が起動する。第１実施形態及び第２実施形態のサーバ５は、ノート３に記入された情報に対応する電子データに対して所定の処理を行うものであるため、ＩＤ及びパスワードによって起動を制限することで、不正な利用者による処理を排除することが可能となる。
【００９１】
次に、本システムにおける記入情報の検索方法の概要を述べておく。なお、ノート３に記入された記入情報は、記入日に対応付けたテキストデータとして記入情報ＤＢ７に記憶されているものとする。
【００９２】
ノート３は、図１２下部に示すように、記入情報を検索するためのキーワード検索項目７３、記入日検索Ａ７４、記入日検索Ｂ７５及び検索ボックス７６が設定されている。利用者は、図１２に示すようなノート３のキーワード検索項目７３に、記入情報ＤＢ７から抽出したいテキストデータの条件であるキーワードを記入する。また、利用者は、ノート３の記入日検索項目Ａ７４及び記入日検索項目Ｂ７５に、記入情報ＤＢ７から抽出したいテキストデータの条件である記入日の範囲を記入する。そして、利用者は、電子ペン１０を使用して検索ボックス７６にチェックマークを記入する。電子ペン１０は、記入された内容に対応するストロークデータを取得し、電子ペン１０内のメモリ１２に一時的に記憶した後、当該ストロークデータを端末装置２５へ送信する。端末装置２５は、電子ペン１０からストロークデータを受信し、ネットワーク２を通じてサーバ５へ送信する。サーバ５は、ストロークデータを、利用者がノート３に対して記入した内容を示す記入情報の電子データとして取得する。
【００９３】
サーバ５は、取得した記入情報に、ノート３のドットパターン上において検索ボックス７６が位置する座標を含むストロークがあった場合に、キーワード検索項目７３、記入日検索項目Ａ７４及び記入日検索項目Ｂ７５に記入されたストロークを抽出する。さらに、サーバ５は、抽出したストロークを文字認識することにより、キーワード検索項目７３に記入されたキーワードと、記入日検索項目Ａ７４及び記入日検索項目Ｂ７５に記入された日付の範囲を特定する。そして、サーバ５は、特定したキーワード及び日付の範囲を条件として、記入情報ＤＢ７を検索することにより条件に合致するデータを抽出する。
【００９４】
このように、利用者が電子ペン１０を使用してノート３に検索条件を記入することにより、ＰＣやサーバ上で複雑な操作を行うことなく容易に、記入情報ＤＢ７から条件に合致するデータを抽出することができる。
【００９５】
なお、上記の例では、キーワード検索項目７３、記入日検索項目Ａ７４及び記入日検索項目Ｂ７５の全て記入を行い、キーワード及び日付の範囲を検索条件としているが、本発明はこれに限定されるものではなく、キーワード又は日付のいずれか一方を検索条件とすることも可能である。この場合、利用者は条件として必要な項目にのみ電子ペン１０により記入を行う。
【００９６】
（ii）ノート
次に、ノート３について説明する。本発明のシステムでは、図１２に示すようなノート３は、上述した専用ペーパーとして作成されている。即ち、図５に例示するように台紙３０上に所定のドットパターン３２が印刷されており、その上に所定の各ボックスや項目などが印刷されている。先に述べたように、ドットパターン３２は電子ペン１０が認識することができるように、カーボンを含んだインキにより印刷されている。一方、各ボックスや項目などの図案３４は、通常の（カーボンを含まない）インキにより印刷されているため、電子ペン１０がそれを認識することはない。
【００９７】
図１２に示すように、ノート３には、利用者がノート３を起動するために記入が必要なＩＤ項目７０、パスワード項目７１及び起動ボックス７２が設定されている。ここで、パスワード項目は、ＣＭＹ混色黒（カーボンを含まない黒）により塗りつぶしてある。よって、利用者が電子ペン１０を使用してパスワード項目７１にパスワードを記入しても、ノート３上では当該パスワードを目視で確認することはできない。このような手法は、パスワードの他、ノート３上には見せたくないが、ストロークデータとしてシステム上取得したい項目に対して適用することができる。なお、ノート３を起動させる場合、利用者は電子ペン１０を使用してＩＤ及びパスワードを記入した後、起動ボックス７２にチェックマークを記入する。
【００９８】
また、図１２に示すように、ノート３には、記入情報ＤＢに記憶されているテキストデータを所定の条件で検索するために記入するキーワード検索項目７３、記入日検索項目Ａ７４、記入日検索項目Ｂ７５及び検索ボックス７６が設定されている。キーワード検索項目７３は、所定のキーワードを含むテキストデータを抽出したい場合に、当該キーワードが記入される項目である。記入日検索項目Ａ７４及びＢ７５は、記入日が所定の日付の範囲であるテキストデータを抽出したい場合に、当該日付の範囲が記入される項目である。なお、所定の条件に合致するテキストデータを抽出する場合、利用者は電子ペン１０を使用してキーワード及び／又は日付の範囲を記入した後、検索ボックス７６にチェックマークを記入する。
【００９９】
また、図１２に示すように、電子ペン１０及び端末装置２５を介して記入情報をサーバ５へ送信するための送信ボックス５３が設定されている。
【０１００】
（iii）サーバ
次に、サーバ５について詳しく説明する。図１３は、起動・検索処理システムにおける、特にサーバ５の内部構成を示す。図示のように、サーバ５は、起動・検索処理プログラム５２１、記入情報取得機能５２２、座標テーブル５２３、利用者認証機能５２４、ノート起動機能５２８、キーワード特定機能５２９、記入日特定機能５３１及び検索機能５３２から構成されている。また、利用者認証機能５２４は、さらにＩＤ特定機能５２５、パスワード特定機能５２６及び利用者情報テーブル５２７から構成されている。なお、各機能は、サーバ５が有するＣＰＵが予め容易されたプログラムを実行することにより実現される。
【０１０１】
起動・検索処理プログラム５２１は、電子ペン１０から取得した記入情報に基づいて座標テーブル５２３を参照することにより利用者が記入したＩＤ及びパスワードを特定し、利用者情報テーブルと照らし合わせて当該利用者が正規であると判定された場合に、ノート３を起動するプログラムである。また、起動・検索処理プログラム５２１は、電子ペン１０から取得した記入情報に基づいて座標テーブル５２３を参照することにより利用者が記入した条件であるキーワード及び／又は記入日を特定し、当該条件に基づいて記入情報ＤＢ７から該当するデータを抽出するプログラムである。
【０１０２】
記入情報取得機能５２２は、起動・検索処理プログラム５２１を実行することにより、利用者が電子ペン１０を使用してノート３に記入した記入情報を電子データとして取得する機能である。
【０１０３】
利用者認証機能５２４は、後述するＩＤ特定機能５２５が特定したＩＤと、パスワード特定機能５２６が特定したパスワードとに基づいて、後述する利用者情報テーブル５２７を参照することにより利用者が正規か否かを認証する機能である。ここで、座標テーブル５２３について説明する。座標テーブル５２３は、図１４に示すように、項目名に対応付けて番号及び座標デーを記憶している。項目名は、ノート３上に設定されたＩＤ項目、パスワード項目、キーワード検索項目、記入日検索項目、起動ボックス、検索ボックス及び送信ボックスのいずれかを示す名称である。また、番号は、複数の記入欄から構成されるＩＤ項目、パスワード項目、キーワード検索項目及び記入日検索項目において、左から何番目の記入欄であるかを示す情報である。また、座標データは、各項目を構成する記入欄のノート３上における配置を示す情報である。なお、起動ボックス、検索ボックス及び送信ボックスは、１つの記入欄から構成されているため番号の部分は斜線となっている。
【０１０４】
ＩＤ特定機能５２５は、記入情報取得機能５２２が取得した記入情報に基づいて、図１４に示すような座標テーブル５２３を参照することにより、当該記入情報からＩＤ項目に記入されたストロークを抽出し、文字認識により利用者が記入したＩＤを特定する機能である。
【０１０５】
パスワード特定機能５２６は、記入情報取得機能５２２が取得した記入情報に基づいて、図１４に示すような座標テーブル５２３を参照することにより、当該記入情報からパスワード項目に記入されたストロークを抽出し、文字認識により利用者が記入したパスワードを特定する機能である。
【０１０６】
利用者情報テーブル５２７は、予め各利用者に設定されたＩＤと、利用者が任意で設定したパスワードとを対応付けて記憶している。利用者認証機能５２４は、ＩＤ特定機能５２５が特定したＩＤに基づいて利用者情報テーブル５２７からパスワードを抽出し、パスワード特定機能５２６が特定したパスワードと比較することにより、利用者が正規であるか否かを認証する。具体的に、利用者認証機能５２４は、抽出したパスワードと、特定したパスワードとが一致する場合に利用者を正規であると認証し、一致しない場合に利用者を不正であると判断する。
【０１０７】
ノート起動機能５２８は、利用者認証機能５２４が利用者を正規であると認証した場合に、ノート３を起動する機能である。
【０１０８】
キーワード特定機能５２９は、記入情報取得機能５２２が取得した記入情報に基づいて、図１４に示すような座標テーブル５２３を参照することにより、当該記入情報からキーワード検索項目に記入されたストロークを抽出し、文字認識により利用者が記入したキーワードを特定する機能である。
【０１０９】
記入日特定機能５３１は、記入情報取得機能５２２が取得した記入情報に基づいて、図１４に示すような座標テーブル５２３を参照することにより、当該記入情報から記入日検索項目に記入されたストロークを抽出し、文字認識により利用者が記入した記入日を特定する機能である。このように記入日を特定することにより、検索の条件である日付の範囲を把握することができる。
【０１１０】
検索機能５３２は、キーワード特定機能５２９が特定したキーワード及び記入日特定機能５３１が特定した記入日に基づいて記入情報ＤＢ７を検索し、条件に合致するテキストデータを抽出する機能である。
【０１１１】
（iv）起動処理
次に、起動・検索処理システムにより実行される起動処理について説明する。図１５は、起動処理のフローチャートである。
【０１１２】
利用者は、まず、電子ペン１０を使用し、図１２に示すようなノート３上のＩＤ項目７０に所定のＩＤを記入する（ステップＳ２１）。次に、利用者は、パスワード項目７１に所定のパスワードを記入する（ステップＳ２２）。そして、利用者は、ノート３上の起動ボックス７２にチェックマークを記入し（ステップＳ２３）、端末装置２５を介して記入情報をサーバ５へ送信するため送信ボックス５３にチェックマークを記入する（ステップＳ２４）。
【０１１３】
サーバ５は、記入情報を取得し、当該記入情報に基づいて座標テーブルを参照することにより、ノート３上の起動ボックス７２にチェックマークが記入されたことを特定する（ステップＳ２５）。そして、サーバ５は、記入情報に基づいて座標テーブルを参照することにより、ＩＤ項目７０に記入されたストロークを抽出し、文字認識によりＩＤを特定する（ステップＳ２６）。また、サーバ５は、記入情報に基づいて座標テーブルを参照することにより、パスワード項目７１に記入されたストロークを抽出し、文字認識によりパスワードを特定する（ステップＳ２７）。そして、サーバ５は、特定したＩＤに基づいてユーザ情報テーブルからパスワードを抽出し、特定したパスワードと比較することで、利用者が正規であるか否かを認証する（ステップＳ２８）。利用者が正規であると認証された場合（ステップＳ２９；Ｙｅｓ）、サーバ５は、ノート３を起動させ（ステップ３００）、起動処理を完了させる。一方、利用者が正規であると認証されなかった場合（ステップＳ２９；Ｎｏ）、サーバ５は、ノート３を起動せず、起動処理を完了させる。
【０１１４】
これによれば、利用者が電子ペン１０を使用してノート３に予め決められたＩＤ及びパスワードを記入することにより、初めてノート３が起動する。よって、サーバ５は、ＩＤ及びパスワードに基づいてノートの起動を制限することができ、不正な利用者による処理を排除することが可能となる。
【０１１５】
（v）検索処理
次に、起動・検索処理システムにより実行される検索処理について説明する。図１６は検索処理のフローチャートである。
【０１１６】
利用者は、まず、電子ペン１０を使用し、図１２に示すようなノート３上のキーワード検索項目７３に、検索の条件としたい所定のキーワードを記入する（ステップＳ４１）。次に、利用者は、記入日項目Ａ７４及びＢ７５に、検索の条件としたい所定の記入日を記入する（ステップＳ４２）。そして、利用者は、ノート３上の検索ボックス７６にチェックマークを記入し（ステップＳ４３）、端末装置２５を介して記入情報をサーバ５へ送信するため送信ボックス５３にチェックマークを記入する（ステップＳ４４）。
【０１１７】
サーバ５は、記入情報を取得し、当該記入情報に基づいて座標テーブルを参照することにより、ノート３上の検索ボックス７６にチェックマークが記入されたことを特定する（ステップＳ４５）。そして、サーバ５は、記入情報に基づいて座標テーブルを参照することにより、キーワード検索項目７３にストロークが記入されているか否かを判定する（ステップＳ４６）。キーワード検索項目７３にストロークが記入されていないと判定した場合（ステップＳ４６；Ｎｏ）、サーバ５はステップＳ４９へ進む。一方、キーワード検索項目７３にストロークが記入されていると判定した場合（ステップＳ４６；Ｙｅｓ）、サーバ５は、当該ストロークを文字認識することによりキーワードを特定する（ステップＳ４７）。
【０１１８】
次に、サーバ５は、記入情報に基づいて座標テーブルを参照することにより、記入日検索項目Ａ７４及びＢ７５にストロークが記入されているか否かを判定する（ステップＳ４９）。記入日検索項目Ａ７４及びＢ７５にストロークが記入されていないと判定した場合（ステップＳ４９；Ｎｏ）、サーバ５はステップＳ５１へ進む。一方、記入日検索項目Ａ７４及びＢ７５にストロークが記入されていると判定した場合（ステップＳ４９；Ｙｅｓ）、サーバ５は、当該ストロークを文字認識することにより記入日を特定する（ステップＳ５０）。
【０１１９】
そして、サーバ５は、ステップＳ４７で特定したキーワード及びステップＳ５０で特定した記入日を条件として記入情報ＤＢ７を検索し、当該条件に合致するテキストデータを抽出する（ステップＳ５１）。さらに、サーバ５は、検索結果として抽出したテキストデータを端末装置２５へ送信し、利用者に提示する（ステップＳ５２）。これにより、検索処理は完了する。
【０１２０】
これによれば、利用者が電子ペン１０を使用してノート３に検索条件を記入することにより、ＰＣやサーバ上で複雑な操作を行うことなく容易に、記入情報ＤＢ７から条件に合致するデータを抽出することができる。
【０１２１】
なお、本実施形態では、切取ボックス５１に記入されたチェックマークの直前に記入されたストロークに基づいて切取エリアを特定し、貼付ボックス５２に記入されたチェックマークの直前に記入されたストロークに基づいて切り取った文章を貼り付ける始点を特定している。また、コピーボックス５０に記入されたチェックマークの直前のストロークに基づいてコピーエリアを特定し、貼付ボックス５２に記入されたチェックマークの直前に記入されたストロークに基づいてコピーした文章を貼り付ける始点を特定している。しかし、本発明はこれに限定されるものではなく、各ボックスに記入されたチェックマークの直後に記入されたストロークに基づいて、切取エリアの特定、コピーエリアの特定及び始点の特定を行うこととしてもよい。この場合、各ボックスに記入されたチェックマークの直前に記入されたストロークと、直後に記入されたストロークのどちらを基準とするかについては予め設定されているものとする。
【０１２２】
[変形例]
上記第１及び第２実施形態では、サーバ５が、電子ペン１０により記入された記入情報に対応する電子データを取得し、編集処理、起動処理及び検索処理を行うこととしている。これによれば、サーバ５は、編集処理、起動処理及び検索処理を適用しながら、複数の利用者の記入情報を一括管理することができる。また、サーバ５が各処理を行うため、端末装置２５の負荷を軽減することが可能である。
【０１２３】
しかし、本発明はこれに限定されるものではなく、図９に示すような、サーバ５が保有する編集処理プログラム５０１と、各機能５０２乃至５０８とを端末装置２５が保有し、端末装置２５が編集処理を行うこととしてもよい。また、図１３に示すような、サーバ５が保有する起動・検索プログラム５２１と、各機能５２２乃至５３２とを端末装置２５が保有し、端末装置２５が起動・検索処理を行うこととしてもよい。これによれば、記入情報に対応する電子データは、ネットワーク２を介してサーバ５へ送信されることなく、電子ペン１０から直接端末装置２５により取得される。よって、利用者は、自身が使用するＰＣ上において、編集処理、起動処理及び検索処理を適用しながら、自身の記入した記入情報を管理することができる。
【産業上の利用可能性】
【０１２４】
この処理システムによって、電子ペン用帳票への記入によって特定の処理を指定し、当該帳票に記入された情報に対応する電子データに対して指定した処理を行うことができる。
【図面の簡単な説明】
【０１２５】
【図１】電子ペンの使用形態を模式的に示す図である。
【図２】電子ペンの構造を示す機能ブロック図である。
【図３】専用ペーパーに印刷されたドットパターンによる情報の表現方法を説明する図である。
【図４】ドットパターン及びそれに対応する情報の例である。
【図５】専用ペーパーにより構成される帳票の構造を示す。
【図６】電子ペン用帳票の例を示す。
【図７】本発明における編集処理システムの概略構成を示す図である。
【図８】編集処理におけるノートの例を示す。
【図９】図７に示す編集処理システムに含まれるサーバの機能ブロック図である。
【図１０】編集処理システムにおける座標テーブルのデータ構造を模式的に示す図である。
【図１１】第１実施形態における編集処理のフローチャートである。
【図１２】起動・検索処理におけるノートの例を示す。
【図１３】起動・検索処理システムに含まれるサーバの機能ブロック図である。
【図１４】起動・検索処理システムにおける座標テーブルのデータ構造を模式的に示す図である。
【図１５】第２実施形態における起動処理のフローチャートである。
【図１６】第２実施形態における検索処理のフローチャートである。
【符号の説明】
【０１２６】
２…ネットワーク
３…ノート
５…サーバ
７…記入情報ＤＢ
１０…電子ペン
１１…プロセッサ
１２…メモリ
１３…データ通信ユニット
１４…バッテリー
２５…端末装置
２６…問い合わせサーバ
２７…サービスサーバ
１００…編集処理システム
【図１】
2005293461.tif 000003
【図２】
2005293461.tif 000004
【図３】
2005293461.tif 000005
【図４】
2005293461.tif 000006
【図５】
2005293461.tif 000007
【図６】
2005293461.tif 000008
【図７】
2005293461.tif 000009
【図８】
2005293461.tif 000010
【図９】
2005293461.tif 000011
【図１０】
2005293461.tif 000012
【図１１】
2005293461.tif 000013
【図１２】
2005293461.tif 000014
【図１３】
2005293461.tif 000015
【図１４】
2005293461.tif 000016
【図１５】
2005293461.tif 000017
【図１６】
2005293461.tif 000018